(57)【特許請求の範囲】
【請求項１】
胴部前板、左右の胴部側板及び胴部後板を連設してなる角筒状の胴部と、胴部の上部に設けられ、胴部後板との境界をヒンジ部として回動することにより胴部前板と左右の胴部側板の一部に覆い被さる被せ蓋と、胴部の下部を閉じてなる底部とを有するフリップトップ型カートンであって、
被せ蓋は、胴部後板の上辺に連設した蓋部連結板と貼り合わせられることにより、胴部後板にヒンジ部となる折線を介して連設された蓋部天板と、蓋部天板に連設するとともに、胴部前板との間で折り返された前方繋ぎ片を介して胴部前板に連設された蓋部前板と、蓋部天板及び蓋部前板にそれぞれ連設するとともに、胴部側板との間で折り返された側方繋ぎ片を介して胴部側板に連設された左右の蓋部側板とから構成されており、
前方繋ぎ片には胴部前板寄りのところに第１の破断線が形成されるとともに、側方繋ぎ片と胴部側板との連設部分には第２の破断線が形成されており、前方繋ぎ片は第１の破断線より蓋部前板寄りの部分で蓋部前板と貼り合わせられ、左右の側方繋ぎ片はそれぞれ左右の蓋部側板と貼り合わせられており、
左右の側方繋ぎ片と前方繋ぎ片のうちの少なくとも一つには、胴部と折曲げ線を介して連結する所定幅でフリーの帯状部分が設けられており、その帯状部分に折曲げ線を介して連設する破断領域が左右の蓋部側板と蓋部前板のうちの少なくとも一つに区画されていることを特徴とするフリップトップ型カートン。
【発明の詳細な説明】
【技術分野】
【０００１】
本発明は、板紙をはじめとして、段ボール、プラスチックシート等のシート状物からなるカートンの技術分野に属し、特に、ヒンジによって回動する被せ蓋を有するフリップトップ型カートンに関するものである。
【背景技術】
【０００２】
従来より、一枚の板紙を組み立てて形成される種々のカートンが利用されているが、開封した後で再封可能なものとして、ヒンジによって回動する被せ蓋を有する所謂フリップトップ型のカートンが使用されている。その中でも、被せ蓋の前板を持ち上げることにより、被せ蓋の前板の裏側に折り込まれている折返し片が切断されて開封するタイプのフリップトップ型カートンがあり、このタイプのカートンは、開封後に被せ蓋を前方に倒すと、被せ蓋の裏面において、切断された折返し片が引っ掛かることによって被せ蓋が係止して蓋がされるようになっている。
【０００３】
【特許文献１】実開昭５０−６７０１５号公報
【特許文献２】特開平１１−７９２４２号公報
【発明の開示】
【発明が解決しようとする課題】
【０００４】
従来のフリップトップ型カートンのうち、上記したような係止手段により再封性を有するタイプのカートンは、開封後に蓋がされてしまうと、外観からは開封されたか否かを確認することができない。したがって、改ざん防止のためにはシール貼りやシュリンクが必要であった。
【０００５】
本発明は、このような問題点に鑑みてなされたものであり、その目的とするところは、改ざん防止機能を付与したフリップトップ型カートンを提供することにある。
【課題を解決するための手段】
【０００６】
上記の目的を達成するため、本発明のフリップトップ型カートンは、胴部前板、左右の胴部側板及び胴部後板を連設してなる角筒状の胴部と、胴部の上部に設けられ、胴部後板との境界をヒンジ部として回動することにより胴部前板と左右の胴部側板の一部に覆い被さる被せ蓋と、胴部の下部を閉じてなる底部とを有するフリップトップ型カートンであって、被せ蓋は、胴部後板の上辺に連設した蓋部連結板と貼り合わせられることにより、胴部後板にヒンジ部となる折線を介して連設された蓋部天板と、蓋部天板に連設するとともに、胴部前板との間で折り返された前方繋ぎ片を介して胴部前板に連設された蓋部前板と、蓋部天板及び蓋部前板にそれぞれ連設するとともに、胴部側板との間で折り返された側方繋ぎ片を介して胴部側板に連設された左右の蓋部側板とから構成されており、前方繋ぎ片には胴部前板寄りのところに第１の破断線が形成されるとともに、側方繋ぎ片と胴部側板との連設部分には第２の破断線が形成されており、前方繋ぎ片は第１の破断線より蓋部前板寄りの部分で蓋部前板と貼り合わせられ、左右の側方繋ぎ片はそれぞれ左右の蓋部側板と貼り合わせられており、左右の側方繋ぎ片と前方繋ぎ片のうちの少なくとも一つには、胴部と折曲げ線を介して連結する所定幅でフリーの帯状部分が設けられており、その帯状部分に折曲げ線を介して連設する破断領域が左右の蓋部側板と蓋部前板のうちの少なくとも一つに区画されていることを特徴としている。
【発明の効果】
【０００７】
本発明のフリップトップ型カートンは、開封に際して被せ蓋を回動させると、第１の破断線及び第２の破断線が切断されて開封するが、それと同時に、帯状部分が反転しつつ引っ張られることでその帯状部分に繋がる被せ蓋の破断領域が破断され、開封後に再封した場合に被せ蓋の表側にある破断領域が横向きに突き出た状態になるか、あるいは帯状部分とともに破断領域を取り去ったとしても欠けた状態になることから、一度開封されたものかどうかを一目で判断することができる。
【発明を実施するための最良の形態】
【０００８】
次に、本発明の実施の形態について図面を参照しながら詳細に説明する。
【０００９】
図１は本発明に係るフリップトップ型カートンの一例を示す斜視図、図２は図１のフリップトップ型カートンを形成するブランクの平面図である。
【００１０】
図１のフリップトップ型カートンＡは四角柱状の胴部とフリップトップ型の被せ蓋が一体となったもので、図２に示すブランクＢを組み立てて作製される。
【００１１】
ブランクＢは、図示のように、胴部を形成する胴部側板１１、胴部前板１２、胴部側板１３、胴部後板１４、糊代フラップ１５が折線ａ，ｂ，ｃ，ｄを介して連設されており、これらの上部に被せ蓋を形成する部分が連設されている。
【００１２】
被せ蓋部分は、胴部前板１２と略同幅の蓋部前板２１と、蓋部前板２１の上辺に折線ｅを介して連設された蓋部天板２２と、蓋部前板２１の両側辺にそれぞれ折線ｆ，ｇを介して連設した蓋部側板２３，２４と、蓋部側板２３，２４の上辺にそれぞれ折線ｈ，ｉを介して連設した折曲げ片２５，２６とからなっている。
【００１３】
胴部と被せ蓋部分との間には蓋部前板２１及び蓋部側板２３，２４とほぼ同じ高さの連結部分Ｃが設けられている。この連結部分Ｃは、胴部前板１２と蓋部前板２１の間に折線ｊ，ｋを介して設けられた前方繋ぎ片３１と、胴部側板１１と蓋部側板２３の間にそれぞれ第２の破断線β、折線ｌを介して設けられた側方繋ぎ片３２と、胴部側板１３と蓋部側板２４の間にそれぞれ第２の破断線β、折線ｍを介して設けられた側方繋ぎ片３３とで構成されており、前方繋ぎ片３１と側方繋ぎ片３２，３３の間にはそれぞれ開口ｘ，ｙが形成されている。
【００１４】
胴部前板１２と蓋部前板２１との間に設けられた前方繋ぎ片３１には、胴部前板１２寄りのところに第１の破断線αが形成されている。図示の例では、この破断線αは、中央の切込線の両側にジッパーが連続しており、上下に引っ張ることで簡単に破断できるようになっている。
【００１５】
側方繋ぎ片３２，３３の一方の側方繋ぎ片３２には、前方繋ぎ片３１寄りの端に、胴部側板１１と折線γを介して連結する所定幅で両サイドがフリーの帯状部分３２ａが設けられており、蓋部側板２３にはその帯状部分３２ａに折線ｌを介して連設する破断領域２３ａが区画されている。この破断領域２３ａは、途中にツナギのある半円状の切線により区画されている。また、帯状部分３２ａには、この部分を撓みやすくするために、横方向の折線が２本形成されている。
【００１６】
また、胴部側板１１の下辺には折線ｎを介して折曲げ片１６が連設され、胴部前板１２の下辺には折線ｏを介して胴部底板１７が連設され、胴部側板１３の下辺には折線ｐを介して折曲げ片１８が連設され、胴部後板１４の下辺には折線ｑを介して胴部内側底板１９が連設されており、胴部後板１４の上辺には折線ｒを介して蓋部連結板２０が連設されている。
【００１７】
このブランクＢは、連結部分Ｃを折線ｊ及び第２の破断線βと折線ｋ，ｌ，ｍのところでＺ状に折り畳んでから全体をサック貼りする。すなわち、最初に、胴部の上に被せ蓋部分が重なるようにして連結部分ＣをＺ状に折り曲げ、前方繋ぎ片３１を第１の破断線αより蓋部前板２１寄りの部分で蓋部前板２１と貼り合わせるとともに、側方繋ぎ片３２，３３をそれぞれ蓋部側板２３，２４と貼り合わせる。次いで、この重畳状態で胴部を折線ａ，ｃのところで折り曲げて糊代フラップ１５の表側を胴部側板１１の端部裏側に貼り合わせる。
【００１８】
このようにサック貼りしたブランクＢを成形充填機に供給して図１の紙カートンＡに組み立てる。その手順は次のようである。まず、折り畳んだブランクＢを角筒状に起こした後、被せ蓋部分の折曲げ片２５，２６を内側に折り曲げた後、胴部後板１４の上辺に連設した蓋部連結板２０を内側に折り曲げてから蓋部天板２２を折り曲げ、蓋部天板２２の裏面を折曲げ片２５，２６と蓋部連結板２０に重ねてホットメルトなどでシールする。このように被せ蓋部分を成形した後、天地を逆にして、内容物を底部から充填した後、カートン底部の折曲げ片１６，１８を内側に折り曲げから、胴部内側底板１９と胴部底板１７を順に折り曲げて互いに糊貼りすることでカートンを成形する。これにより図１に示すフリップトップ型カートンＡが組み立てられる。なお、前方繋ぎ片３１と側方繋ぎ片３２，３３の間に開口ｘ，ｙがあるので、連結部分Ｃを介して胴部と蓋部分を重ねても、上記のようにサック貼りしたり角筒状に起こしたりする操作が簡単に行える。
【００１９】
このフリップトップ型カートンＡを開封するに際しては、指先を被せ蓋の前面下部に掛けて被せ蓋を引き上げる。すると、第１の破断線α及び第２の破断線βが切断され、図３に示すように、被せ蓋は胴部後板１４との境界にある折線ｒのところをヒンジ部として回動することで開封する。そして、この開封と同時に、側方繋ぎ片３２における帯状部分３２ａが反転しつつ引っ張られることでその先端にある蓋部側板２３の破断領域２３ａがツナギのところで破断され、帯状部分３２ａは図示の如く胴部側板１１の上辺に残った状態となる。このとき、帯状部分３２ａには横方向の折線を設けてあるので、反転するときに撓みやすくなっている。
【００２０】
このようにして開封されたフリップトップ型カートンＡは、胴部前板１２の上辺に破断後の前方繋ぎ片３１の一部が折返し片３１ａとして突き出るとともに、蓋部前板２１の裏側にはその折返し片３１ａが欠けたことによる段差が生じているので、被せ蓋を前に倒すと、第１の破断線αで分断されて残った前方繋ぎ片３１に折返し片３１ａが引っ掛かることによって被せ蓋が係止される。また、被せ蓋を引き上げるとこの引っ掛かりが外れることで被せ蓋を開けることができる。
【００２１】
そして、開封後に再封すると、蓋部側板２３の破断領域２３ａがすでに破断されているので、図４に示すように、横向きに突き出た状態となる。したがって、この破断領域２３ａが突き出ているかどうかにより、フリップトップ型カートンＡが一度開封されたかどうかを一目で判断することができる。また、破断された破断領域２３ａは、胴部側板１１の上辺に連結した帯状部分３２ａに連結しているので、ゴミになることもないし、開閉の邪魔になるようなこともない。なお、帯状部分３２ａとともに破断領域２３ａが取り去られたとしても欠けた状態になるので、この場合も、開封されたか否かを一目で判断することができる。
【００２２】
以上、本発明の実施の形態について詳細に説明してきたが、本発明によるフリップトップ型カートンは、上記実施の形態に何ら限定されるものではなく、本発明の趣旨を逸脱しない範囲において種々の変更が可能であることは当然のことである。
【００２３】
例えば、上記の実施形態では、一方の側方繋ぎ片に帯状部分を設け、それに隣接する蓋部側板に破断領域を設けたが、この形態に限定されるものではない。すなわち、このような帯状部分と破断領域は、左右の側方繋ぎ片と前方繋ぎ片のうちの少なくとも一つに設けることができるものであり、破断領域はその帯状部分に対応して左右の蓋部側板と蓋部前板に区画されるものである。
【図面の簡単な説明】
【００２４】
【図１】本発明に係るフリップトップ型カートンの一例を示す斜視図である。
【図２】図１のフリップトップ型カートンを形成するブランクの平面図である。
【図３】図１のフリップトップ型カートンを開封した状態で示す斜視図である。
【図４】図１のフリップトップ型カートンを再封した状態で示す斜視図である。
【符号の説明】
【００２５】
Ａ  紙カートン
Ｂ  ブランク
Ｃ  連結部分
ａ〜ｒ  折線
ｘ，ｙ  開口
α  第１の破断線
β  第２の破断線
γ  折線
１１  胴部側板
１２  胴部前板
１３  胴部側板
１４  胴部後板
１５  糊代フラップ
１６  折曲げ片
１７  胴部底板
１８  折曲げ片
１９  胴部内側底板
２０  蓋部連結板
２１  蓋部前板
２２  蓋部天板
２３  蓋部側板
２３ａ  破断領域
２４  蓋部側板
２５，２６  折曲げ片
３１  前方繋ぎ片
３２  側方繋ぎ片
３２ａ  帯状部分
３３  側方繋ぎ片
【図１】
0005145942.tif 000002
【図２】
0005145942.tif 000003
【図３】
0005145942.tif 000004
【図４】
0005145942.tif 000005